(57)【要約】【課題】表示装置及びその駆動方法を提供すること。【解決手段】表示装置は多数の横軸センサと多数の縦軸センサとを含むタッチスクリーンパネルと、センサからフレーム単位でセンサデータが入力され、タッチスクリーンパネルの接触地点の座標を出力するコントローラとを含む。コントローラはセンサデータをフレーム単位で貯蔵する多数のフレームメモリと、フレームメモリに貯蔵されたセンサデータのそれぞれを加算してセンサデータの和の値を出力する第１演算部と、センサデータの和の値を貯蔵する多数のバッファメモリと、バッファメモリに貯蔵された値を利用して接触地点の座標を検出する検出部とを含む。【選択図】図２
2007188482.tif 000002
【特許請求の範囲】
【請求項１】
多数の横軸センサと多数の縦軸センサとを含み、前記横軸センサと前記縦軸センサとからフレーム単位でセンサデータを出力するタッチスクリーンパネルと、
前記センサデータが入力され、前記タッチスクリーンパネルの接触地点の座標を出力するコントローラとを含み、
前記コントローラは、
前記センサデータをフレーム単位で貯蔵する多数のフレームメモリと、
前記フレームメモリに貯蔵された前記センサデータのそれぞれを加算してセンサデータの和の値を出力する第１演算部と、
前記センサデータの和の値を貯蔵する多数のバッファメモリと、
前記バッファメモリに貯蔵された値を利用して前記接触地点の座標を検出する検出部とを含むことを特徴とする表示装置。
【請求項２】
前記センサデータは前記接触地点の電圧値であることを特徴とする請求項１に記載の表示装置。
【請求項３】
前記フレームメモリは第１、第２、及び第３フレームメモリを含むことを特徴とする請求項１に記載の表示装置。
【請求項４】
前記第１演算部は前記第１、第２、及び第３フレームメモリに貯蔵された前記センサデータの値をそれぞれ加算することを特徴とする請求項３に記載の表示装置。
【請求項５】
前記バッファメモリは第１乃至第７バッファメモリを含み、それぞれのバッファメモリは前記フレームのうち、第ｉ番目のフレーム、第（ｉ+１）番目のフレーム及び第（ｉ+２）番目のフレームに該当する前記センサデータの和の値が貯蔵され、ここで、ｉは１から７までの自然数であることを特徴とする請求項４に記載の表示装置。
【請求項６】
前記検出部は、
前記第２乃至第７バッファメモリに貯蔵された前記センサデータの和の値から前記第１バッファメモリに貯蔵された前記センサデータの和の値を減算した結果の絶対値をそれぞれ出力する第２演算部と、
前記第２演算部から出力される前記減算結果の絶対値とあらかじめ貯蔵された以前最大値とが入力されて比較され、その比較結果によって前記減算結果の絶対値の中で最大値と前記最大値に対応する座標とを貯蔵するデータ出力部と、
前記データ出力部に貯蔵された最大値とあらかじめ設定された臨界値とを比較し、前記最大値が前記臨界値より大きければ、前記データ出力部に貯蔵された前記最大値に対応する座標を出力する第１比較部とを含むことを特徴とする請求項５に記載の表示装置。
【請求項７】
前記データ出力部は、
前記減算結果の絶対値と前記あらかじめ貯蔵された以前最大値が入力され、前記減算結果の絶対値と前記あらかじめ貯蔵された以前最大値とを比較して選択信号を出力する第２比較部と、
前記選択信号に応答して前記減算結果の絶対値と前記あらかじめ貯蔵された以前最大値の中で相対的にさらに大きい値とを出力するマルチプレクサと、
前記マルチプレクサから出力される値と、前記マルチプレクサから出力される値に対応する座標とを貯蔵するレジスタとを含むことを特徴とする請求項６に記載の表示装置。
【請求項８】
前記臨界値は前記タッチスクリーンパネルに外部から接触が発生したか否かを判別する基準値になることを特徴とする請求項６に記載の表示装置。
【請求項９】
タッチスクリーンパネルのセンサからフレーム単位でセンサデータを入力する段階と、
前記センサデータをフレーム単位でフレームメモリに貯蔵する段階と、
前記フレームメモリに貯蔵された前記センサデータのそれぞれを加算してバッファメモリに貯蔵する段階と、
前記バッファメモリに貯蔵された値を利用して、前記タッチスクリーンパネルの接触地点の座標を検出する段階とを含むことを特徴とする表示装置の駆動方法。
【請求項１０】
前記センサデータは前記接触地点の電圧値であることを特徴とする請求項９に記載の表示装置の駆動方法。
【請求項１１】
前記フレームメモリは第１、第２、及び第３フレームメモリを含むことを特徴とする請求項９に記載の表示装置の駆動方法。
【請求項１２】
前記バッファメモリは第１乃至第７バッファメモリを含み、それぞれのバッファメモリは前記フレームのうち、第ｉ番目のフレーム、第（ｉ＋１）番目のフレーム及び第（ｉ＋２）番目のフレームに該当する前記センサデータの和の値が貯蔵され、ここで、ｉは１から７までの自然数であることを特徴とする請求項１１に記載の表示装置の駆動方法。
【請求項１３】
前記タッチスクリーンパネルの接触地点の座標を検出する段階は、
前記第２乃至第７バッファメモリに貯蔵された前記センサデータの和の値から前記第１バッファメモリに貯蔵された前記センサデータの和の値を減算した結果の絶対値をそれぞれ出力する段階と、
前記第２演算部から出力される前記減算結果の絶対値とあらかじめ貯蔵された以前最大値とが入力されて比較され、その比較結果によって前記減算結果の絶対値の中で最大値と前記最大値に対応する座標とを貯蔵する段階と、
前記データ出力部に貯蔵された最大値とあらかじめ設定された臨界値とを比較し、前記最大値が前記臨界値より大きければ、前記データ出力部に貯蔵された前記最大値に対応する座標を出力する段階とを含むことを特徴とする請求項１２に記載の表示装置の駆動方法。
【請求項１４】
前記最大値と前記最大値に対応する座標とを貯蔵する段階は、
前記減算結果の絶対値と前記あらかじめ貯蔵された以前最大値が入力され、前記減算結果の絶対値と前記あらかじめ貯蔵された以前最大値とを比較して選択信号を出力する段階と、
前記選択信号に応答して前記減算結果の絶対値と前記あらかじめ貯蔵された以前最大値の中で相対的にさらに大きい値を出力する段階と、
前記マルチプレクサから出力される値と、前記マルチプレクサから出力される値に対応する座標を貯蔵する段階とを含むことを特徴とする請求項１３に記載の表示装置の駆動方法。
【請求項１５】
前記臨界値は前記タッチスクリーンパネルに外部から接触が発生したか否かを判別する基準値になることを特徴とする請求項１３に記載の表示装置の駆動方法。
【発明の詳細な説明】
【技術分野】
【０００１】
本発明は表示装置（Ｄｉｓｐｌａｙ  Ｄｅｖｉｃｅ）に係り、具体的には、タッチスクリーン（Ｔｏｕｃｈ  Ｓｃｒｅｅｎ）表示装置に関する。
【背景技術】
【０００２】
タッチスクリーンシステムはタッチスクリーン上に指またはペンなどを接触させて該当の座標が認識されるようにするシステムである。タッチスクリーンは人がコンピュータ装置と相互会話を行う最も直接的な方式であって、入力装置とディスプレイ装置とが結合してマウスまたはキーボードのような別途の入力装置がなくても、画面上でユーザが所望する部分を直接指して動作させることができる。
【０００３】
タッチスクリーン表示装置の信頼性はユーザが接触した地点の座標を正確に検出するか否かにある。
【発明の開示】
【発明が解決しようとする課題】
【０００４】
本発明の課題は、ユーザが接触したタッチスクリーンの接触地点座標を正確に検出することができる表示装置を提供することにある。
【課題を解決するための手段】
【０００５】
本発明に係る表示装置は、多数の横軸センサと多数の縦軸センサとを含み、横軸センサと縦軸センサからフレーム単位でセンサデータを出力するタッチスクリーンパネルと、センサデータが入力され、タッチスクリーンパネルの接触地点の座標を出力するコントローラとを含む。コントローラは、センサデータをフレーム単位で貯蔵する多数のフレームメモリと、フレームメモリに貯蔵されたセンサデータのそれぞれを加算してセンサデータの和の値を出力する第１演算部と、センサデータの和の値を貯蔵する多数のバッファメモリと、バッファメモリに貯蔵された値を利用して接触地点の座標を検出する検出部とを含む。
【０００６】
この実施形態において、センサデータは接触地点の電圧値である。
【０００７】
この実施形態において、フレームメモリは第１、第２、及び第３フレームメモリを含む。
【０００８】
この実施形態において、第１演算部は第１、第２、及び第３フレームメモリに貯蔵されたセンサデータの値をそれぞれ加算する。
【０００９】
この実施形態において、バッファメモリは第１乃至第７バッファメモリを含み、それぞれのバッファメモリはフレームのうち、第ｉ番目のフレーム、第（ｉ＋１）番目のフレーム及び第（ｉ＋２）番目のフレームに該当するセンサデータの和の値が貯蔵され、ここで、ｉは１から７までの自然数である。
【００１０】
この実施形態において、検出部は、第２乃至第７バッファメモリに貯蔵されたセンサデータの和の値から第１バッファメモリに貯蔵されたセンサデータの和の値を減算した結果の絶対値をそれぞれ出力する第２演算部と、第２演算部から出力される減算結果の絶対値とあらかじめ貯蔵された以前最大値とを入力して比較し、その比較結果によって減算結果の絶対値の中の最大値と最大値に対応する座標とを貯蔵するデータ出力部と、データ出力部に貯蔵された最大値とあらかじめ設定された臨界値とを比較し、最大値が臨界値より大きければ、データ出力部に貯蔵された最大値に対応する座標を出力する第１比較部とを含む。
【００１１】
この実施形態において、データ出力部は、減算結果の絶対値とあらかじめ貯蔵された以前最大値とが入力され、減算結果の絶対値とあらかじめ貯蔵された以前最大値とを比較して選択信号を出力する第２比較部と、選択信号に応答して減算結果の絶対値とあらかじめ貯蔵された以前最大値の中で相対的にさらに大きい値とを出力するマルチプレクサと、マルチプレクサから出力される値と、マルチプレクサから出力される値に対応する座標とを貯蔵するレジスタとを含む。
【００１２】
この実施形態において、臨界値はタッチスクリーンパネルに外部から接触が発生したか否かを判別する基準値になる。
【００１３】
本発明に係る表示装置の駆動方法は、タッチスクリーンパネルのセンサからフレーム単位でセンサデータが入力される段階と、センサデータをフレーム単位でフレームメモリに貯蔵する段階と、フレームメモリに貯蔵されたセンサデータのそれぞれを加算してバッファメモリに貯蔵する段階と、バッファメモリに貯蔵された値を利用して、タッチスクリーンパネルの接触地点の座標を検出する段階とを含む。
【発明の効果】
【００１４】
本発明によれば、表示装置のコントローラはフレームメモリと、バッファメモリと、接触地点の座標を検出する検出部とを含み、ユーザが接触したタッチスクリーンの接触地点座標を正確に検出することができる。
【発明を実施するための最良の形態】
【００１５】
以下、本発明に係る実施形態を添付した図面を参照して詳細に説明する。
【００１６】
図１は本発明の一実施形態に係るタッチスクリーン表示装置のブロック図である。
【００１７】
図１を参照すれば、タッチスクリーン表示装置は液晶パネル１００、ペン１１０、ドライバＩＣ２００、及びコントローラ３００を含む。
【００１８】
液晶パネル（Ｌｉｑｕｉｄ  Ｃｒｙｓｔａｌ  Ｐａｎｅｌ）１００は共通電極を有する基板と、画素電極を有する基板で構成され、基板の間には液晶が注入される。液晶パネル１００は液晶に電界を印加し、この電界の強さを調節することによって基板に透過する光の量を調節して映像信号を表示する。
【００１９】
液晶パネル１００の一方の基板には行方向に伸長した多数の横軸センサＹ1〜Ｙｍと列方向に伸長した多数の縦軸センサＸ1〜Ｘｎが一定の間隔を置いて配列されている。液晶パネル１００のセンサＸ1〜Ｘｎ、Ｙ1〜Ｙｍはペン１１０または指によって押された地点を感知する。センサＸ1〜Ｘｎ、Ｙ1〜Ｙｍはフレーム単位で電圧値に変換された第１センサデータＳＤ１をドライバＩＣ２００に出力する。
【００２０】
ドライバＩＣ２００は液晶パネル１００に映像データ（Ｉｍａｇｅ  Ｄａｔａ）を出力し、液晶パネル１００から第１センサデータＳＤ１が入力される。ドライバＩＣ２００はアナログ電圧値である第１センサデータＳＤ１をデジタル電圧値に変換した第２センサデータＳＤ２をコントローラ３００に印加する。このためにドライバＩＣ２００はアナログ−デジタル変換部（Ａｎａｌｏｇ−Ｄｉｇｉｔａｌ  Ｃｏｎｖｅｒｔｅｒ）を含む。
【００２１】
コントローラ３００はドライバＩＣ２００から第２センサデータＳＤ２が入力され、液晶パネル１００にタッチが発生したか（ＴＥ:Ｔｏｕｃｈ  Ｅｖｅｎｔ）否かを判別する。また、コントローラ３００は第２センサデータＳＤ２に応答して、タッチイベントが発生した地点の座標を求める。
【００２２】
図２は図１に示したコントローラの具体的な構成を示すブロック図である。
【００２３】
図２を参照すれば、コントローラ３００はフレームメモリ３１０、第１演算部３２０、バッファメモリ３３０、及びタッチイベント検出回路３４０を含む。
【００２４】
フレームメモリ３１０は第１、第２及び第３フレームメモリ３１１、３１２、３１３で構成される。フレームメモリ３１０はドライバＩＣ２００から入力された第２センサデータＳＤ２をフレーム単位で貯蔵する。例えば、第１フレームメモリ３１１には第１フレームに対する液晶パネル１００の横軸センサＹ１〜Ｙｍと縦軸センサＸ１〜Ｘｎで感知した電圧値をドライバＩＣ２００でデジタル値に変換した第２センサデータＳＤ２値が貯蔵される。
【００２５】
図３は図２に示したフレームメモリに貯蔵されるデータを示す図である。
【００２６】
図３を参照すれば、第１フレームメモリ３１１には第１フレームに対するｎ個の縦軸センサＸ１〜Ｘｎで感知された値Ｘ１＿Ｄａｔａ＿１〜Ｘｎ＿Ｄａｔａ＿１と、ｍ個の横軸センサＹ１〜Ｙｍで感知された値Ｙ１＿Ｄａｔａ＿１〜Ｙｍ＿Ｄａｔａ＿１が全部貯蔵される。同様に、第２フレームメモリ３１２には第２フレームに対する第２センサデータ値Ｘ１＿Ｄａｔａ＿２〜Ｘｎ＿Ｄａｔａ＿２、Ｙ１＿Ｄａｔａ＿２〜Ｙｍ＿Ｄａｔａ＿２が貯蔵され、第３フレームメモリ３１３には第３フレームに対する第２センサデータ値Ｘ１＿Ｄａｔａ＿３〜Ｘｎ＿Ｄａｔａ＿３、Ｙ１＿Ｄａｔａ＿３〜Ｙｍ＿Ｄａｔａ＿３が貯蔵される。すなわち、第１、第２及び第３フレームメモリ３１１、３１２、３１３には３つのフレームに対する第２センサデータＳＤ２値がそれぞれ貯蔵される。
【００２７】
フレームメモリ３１０に第１乃至第３フレームに対する第２センサデータＳＤ２の貯蔵が完了すれば、第１フレームメモリ３１１には第４フレームに対する第２センサデータＳＤ２が貯蔵され、第２フレームメモリ３１２と第３フレームメモリ３１３には第５及び第６フレームに対する第２センサデータＳＤ２が貯蔵される。同様に、フレームメモリ３１０に第４乃至第６フレームに対する第２センサデータＳＤ２の貯蔵が完了すれば、第１フレームメモリ３１１には第７フレームに対する第２センサデータＳＤ２が貯蔵され、第２フレームメモリ３１２と第３フレームメモリ３１３には第８及び第９フレームに対する第２センサデータＳＤ２が貯蔵される。
【００２８】
第１演算部３２０は第１、第２及び第３フレームメモリ３１１、３１２、３１３に貯蔵された第２センサデータＳＤ２値をセンサ単位に加算した結果を出力する。例えば、第１演算部３２０は第１フレームメモリ３１１に貯蔵された第１フレームに対する第１縦軸センサＸ１で感知されたデータＸ１＿Ｄａｔａ＿１と、第２フレームメモリ３１２に貯蔵された第２フレームに対する第１縦軸センサＸ１で感知されたデータＸ１＿Ｄａｔａ＿２と、第３フレームメモリ３１３に貯蔵された第３フレームに対する第１縦軸センサＸ１で感知されたデータＸ１＿Ｄａｔａ＿３とを加算して、その結果値Ｓｕｍ＿Ｘ１＿１を出力する。同様に、第１演算部３２０は第１、第２及び第３フレームメモリ３１１、３１２、３１３に貯蔵された第１乃至第３フレームに対する第２センサデータＳＤ２値をセンサ単位に加算して、その結果値Ｓｕｍ＿Ｘ１＿１〜Ｓｕｍ＿Ｘｎ＿１、Ｓｕｍ＿Ｙ１＿１〜Ｓｕｍ＿Ｙｍ＿１をバッファメモリ３３０に出力する。
【００２９】
第１演算部３２０において、第１乃至第３フレームに対する第２センサデータＳＤ２値をセンサ単位に加算する過程が完了すれば、第１演算部３２０は第２乃至第４フレームに対する第２センサデータＳＤ２値をセンサ単位に加算する過程を実行する。すなわち、第１演算部３２０は３つのフレーム単位で第２センサデータＳＤ２値をセンサ単位に加算した結果を出力する。
【００３０】
バッファメモリ３３０は第１乃至第７バッファメモリ３３１、３３２、３３３、３３４、３３５、３３６、３３７で構成される。
【００３１】
図４は図２に示したバッファメモリに貯蔵されるデータを示す図である。
【００３２】
図４を参照すれば、第１バッファメモリ３３１には第１演算部３２０から出力される第１乃至第３フレームに対する和の値Ｓｕｍ＿Ｘ１＿１〜Ｓｕｍ＿Ｘｎ＿１、Ｓｕｍ＿Ｙ１＿１〜Ｓｕｍ＿Ｙｍ＿１が貯蔵され、第２バッファメモリ３３２には第１演算部３２０から出力される第２乃至第４フレームに対する和の値Ｓｕｍ＿Ｘ１＿２〜Ｓｕｍ＿Ｘｎ＿２、Ｓｕｍ＿Ｙ１＿２〜Ｓｕｍ＿Ｙｍ＿２が貯蔵される。第３バッファメモリ３３３には第３乃至第５フレームに対する和の値Ｓｕｍ＿Ｘ１＿３〜Ｓｕｍ＿Ｘｎ＿３、Ｓｕｍ＿Ｙ１＿３〜Ｓｕｍ＿Ｙｍ＿３が貯蔵され、第４バッファメモリ３３４には第４乃至第６フレームに対する和の値Ｓｕｍ＿Ｘ１＿４〜Ｓｕｍ＿Ｘｎ＿４、Ｓｕｍ＿Ｙ１＿４〜Ｓｕｍ＿Ｙｍ＿４が貯蔵され、第５バッファメモリ３３５には第５乃至第７フレームに対する和の値Ｓｕｍ＿Ｘ１＿５〜Ｓｕｍ＿Ｘｎ＿５、Ｓｕｍ＿Ｙ１＿５〜Ｓｕｍ＿Ｙｍ＿５が貯蔵される。第６バッファメモリ３３６には第６乃至第８フレームに対する和の値Ｓｕｍ＿Ｘ１＿６〜Ｓｕｍ＿Ｘｎ＿６、Ｓｕｍ＿Ｙ１＿６〜Ｓｕｍ＿Ｙｍ＿６が貯蔵され、第７バッファメモリ３３７には第７乃至第９フレームに対する和の値Ｓｕｍ＿Ｘ１＿７〜Ｓｕｍ＿Ｘｎ＿７、Ｓｕｍ＿Ｙ１＿７〜Ｓｕｍ＿Ｙｍ＿７が貯蔵される。
【００３３】
タッチイベント検出回路３４０はバッファメモリ３３０に貯蔵された値を利用して液晶パネル１００にタッチイベントＴＥが発生したか否かを判別し、タッチイベントＴＥが発生した地点の座標Ｍａｘ＿ＡＤを求めて出力する。
【００３４】
図５は図２に示したタッチイベント検出回路の具体的なブロック図である。
【００３５】
図５を参照すれば、タッチイベント検出回路３４０は第２演算部３４１、第１比較部３４２、レジスタ３４３、マルチプレクサ３４４、及び第２比較部３４５で構成される。
【００３６】
第２演算部３４１は論理演算装置（ＡＬＵ:Ａｒｉｔｈｍｅｔｉｃ  Ｌｏｇｉｃ  Ｕｎｉｔ）であり、第１バッファメモリ３３１に貯蔵された値ＯＢと第２乃至第７バッファメモリ３３２、３３３、３３４、３３５、３３６、３３７に貯蔵された値ＬＢとの減算結果の絶対値を出力する。
【００３７】
図６は図５に示した第２演算部で演算されるデータを示す図である。
【００３８】
図６を参照すれば、第２演算部３４１は第１バッファメモリ３３１に貯蔵された値ＯＢと第２乃至第７バッファメモリ３３２、３３３、３３４、３３５、３３６、３３７に貯蔵された値ＬＢとの差値の絶対値を演算する。第２演算部３４１は差値の絶対値を演算することによって、センサデータの増加分と減少分とを全部考慮してタッチイベントＴＥを検出する。
【００３９】
第１比較部３４２は第２演算部３４１から出力された差値の絶対値Ｄｉｆｆとレジスタ３４３から出力された最大差値Ｍａｘ＿Ｄｉｆｆとを比較して第２演算部３４１から出力された差値の絶対値Ｄｉｆｆが最大差値Ｍａｘ＿Ｄｉｆｆより大きければ選択信号ＳＥＬを出力する。
【００４０】
レジスタ３４３は最大差値Ｍａｘ＿Ｄｉｆｆと最大差値Ｍａｘ＿Ｄｉｆｆに該当するアドレスＭａｘ＿ＡＤとが貯蔵される。最大差値Ｍａｘ＿Ｄｉｆｆに該当するアドレスＭａｘ＿ＡＤは外部から液晶パネル１００に接触された地点の座標値になる。
【００４１】
マルチプレクサ（Ｍｕｌｔｉｐｌｅｘ）３４４は第２演算部３４１から出力された差値の絶対値Ｄｉｆｆとレジスタ３４３から出力された最大差値Ｍａｘ＿Ｄｉｆｆとが入力され、第１比較部３４２から選択信号ＳＥＬが入力されれば、第２演算部３４１からの差値の絶対値Ｄｉｆｆを出力し、第１比較部３４２から選択信号ＳＥＬが入力されなければ、レジスタ３４３から出力された最大差値Ｍａｘ＿Ｄｉｆｆを出力する。すなわち、第１比較部３４２とマルチプレクサ３４４とは第２演算部３４１から出力された差値の絶対値Ｄｉｆｆとレジスタ３４３から出力された最大差値Ｍａｘ＿Ｄｉｆｆとを比較し、大きい値をレジスタ３４３に貯蔵する。
【００４２】
第２比較部３４５はレジスタ３４３から出力された最大差値Ｍａｘ＿Ｄｉｆｆと臨界値ＴＨとが入力され、最大差値Ｍａｘ＿Ｄｉｆｆが臨界値ＴＨより大きければ液晶パネル１００にタッチイベントＴＥが発生したと判別し、最大差値Ｍａｘ＿Ｄｉｆｆに該当する座標Ｍａｘ＿ＡＤを求めて出力する。臨界値ＴＨは液晶パネル１００に接触が発生したか否かを判別する基準値になる。
【００４３】
図７は図１に示したコントローラのタッチイベント感知方法を示すフローチャートである。
【００４４】
図７を参照すれば、液晶パネル１００の縦軸センサＸ１〜Ｘｎと横軸センサＹ１〜Ｙｍとはフレーム当たり第１センサデータＳＤ１を感知してドライバＩＣ２００に出力し、ドライバＩＣ２００は第１センサデータＳＤ１をデジタルに変換した第２センサデータＳＤ２をフレームメモリ３１０に出力する（Ｓ１００）。フレームメモリ３１０はフレーム単位で第２センサデータＳＤ２を貯蔵する（Ｓ１１０）。第１、第２及び第３フレームメモリ３１１、３１２、３１３に３つのフレームに対する第２センサデータＳＤ２の貯蔵が完了すれば（Ｓ１２０）、第１演算部３２０は３つのフレーム単位で第２センサデータＳＤ２値をセンサ単位に加算し、その値Ｓｕｍ＿Ｘ１＿ｉ〜Ｓｕｍ＿Ｙｍ＿ｉをｉ番目のバッファメモリ３３１〜３３７に貯蔵する（Ｓ１３０）。ここで、ｉ値は１から７までの自然数の中の一つの値になる。
【００４５】
第１乃至第７バッファメモリ３３１、３３２、３３３、３３４、３３５、３３６、３３７の貯蔵が完了すれば（Ｓ１４０）、第２演算部３４１は第２乃至第７バッファメモリ３３２、３３３、３３４、３３５、３３６、３３７に貯蔵された値ＬＢと第１バッファメモリ３３１に貯蔵された値ＯＢとの減算結果の絶対値Ｄｉｆｆ＿Ｘ１＿ｊ〜Ｄｉｆｆ＿Ｙｍ＿ｊを出力する（Ｓ１５０）。ここで、ｊ値は２から７までの自然数の中の一つの値になる。
【００４６】
第１比較部３４２とマルチプレクサ３４４とは第２演算部３４１から出力された差値の絶対値Ｄｉｆｆ＿Ｘ１＿ｊ〜Ｄｉｆｆ＿Ｙｍ＿ｊとレジスタ３４３から出力された最大差値Ｍａｘ＿Ｄｉｆｆとを比較し、大きい値をレジスタ３４３に貯蔵する（Ｓ１６０）。
【００４７】
第２比較部３４５にレジスタ３４３から出力された最大差値Ｍａｘ＿Ｄｉｆｆと臨界値ＴＨとが入力され、最大差値Ｍａｘ＿Ｄｉｆｆが臨界値ＴＨより大きければ（Ｓ１７０）、液晶パネル１００にタッチイベントＴＥが発生したと判別し、最大差値Ｍａｘ＿Ｄｉｆｆに該当する座標Ｍａｘ＿ＡＤを求めて出力する（Ｓ１８０）。
【００４８】
図８は各フレーム別に第２センサデータの値を示すグラフである。
【００４９】
図８は第２縦軸センサＸ２の周りでタッチイベントＴＥが発生した場合を示している。タッチイベントＴＥが発生した部分でフレーム別にセンサデータの変化幅が大きくなる。
【００５０】
以上のように、図面と明細書で最適の実施例が開示された。ここで特定の用語が用いられたが、これはただ本発明を説明するための目的として用いられたものであり、意味限定または特許請求の範囲に記載した本発明の範囲を制限するために用いられたのではない。したがって、本技術分野の通常の知識を持つ者であれば、今後多様な変形及び均等な他の実施例が可能であることを理解するであろう。したがって、本発明の真正な技術的保護範囲は特許請求の範囲の技術的思想によって決められなければならない。
【図面の簡単な説明】
【００５１】
【図１】本発明の一実施形態に係るタッチスクリーン表示装置のブロック図である。
【図２】図１に示したコントローラの具体的な構成を示すブロック図である。
【図３】図２に示したフレームメモリに貯蔵されるデータを示す。
【図４】図２に示したバッファメモリに貯蔵されるデータを示す。
【図５】図２に示したタッチイベント検出回路の具体的なブロック図である。
【図６】図５に示した第２演算部で演算されるデータを示す。
【図７】図１に示したコントローラのタッチイベント感知方法を示すフローチャートである。
【図８】各フレーム別に第２センサデータの値を示すグラフである。
【符号の説明】
【００５２】
１００  液晶パネル
２００  ドライバＩＣ
３００  コントローラ
３１０  フレームメモリ
３２０  第１演算部
３３０  バッファメモリ
３４０  タッチイベント検出回路
【図１】
2007188482.tif 000003
【図２】
2007188482.tif 000004
【図３】
2007188482.tif 000005
【図４】
2007188482.tif 000006
【図５】
2007188482.tif 000007
【図６】
2007188482.tif 000008
【図７】
2007188482.tif 000009
【図８】
2007188482.tif 000010